(57)【要約】【課題】  本発明は、サポートを安全カミソリのハンドルの一部として利用することにより、安全カミソリとして使用するときに十分に長いハンドルを得ることを課題とする。さらには、サポートを電動トリマーなどの電動具としたときに、サポートと安全カミソリ本体とが協働して使用し易い握り具合を得ることを課題とする。【解決手段】  サポートがその把持部の基部においてサポートに対して横方向に延びる回転軸線を中心に回転可能となるようにサポート保持部に結合され、サポートの把持部と反対側に作用部が設けられており、安全カミソリ本体による髭剃り時に、作用部はカミソリヘッドに設けられた空間部に置かれ、且つ把持部はサポート保持部よりも下方向に延びサポート保持部と協働して安全カミソリのハンドルを構成し、サポートを使用する際にその作用部が使用可能な位置までサポートが回転可能である。【選択図】  図１
2010131229.tif 000002
【特許請求の範囲】
【請求項１】
安全カミソリ本体とサポートとから成り、安全カミソリ本体は髭切断構造とカミソリヘッドとサポート保持部とを有し、前記髭切断構造はカミソリヘッドの上部に存在し、前記サポート保持部はカミソリヘッドの下方に存在し、サポートは細長く形成され把持部を有し、その把持部はサポートの途中部分を基部として長さ方向にサポート端部まで延びており、且つサポートはその把持部の基部においてサポートに対して横方向に延びる回転軸線を中心に回転可能となるようにサポート保持部に結合され、サポートの把持部と反対側に作用部が設けられており、安全カミソリ本体による髭剃り時に、作用部はカミソリヘッドに設けられた空間部に置かれ、且つ把持部はサポート保持部よりも下方向に延びサポート保持部と協働して安全カミソリのハンドルを構成し、サポートを使用する際にその作用部が使用可能な位置までサポートを回転させることができることを特徴とする安全カミソリ。
【請求項２】
安全カミソリの使用時に、その安全カミソリの、顔の表面と対向する側を前側、その前側と反対の側を後ろ側と定義して、カミソリヘッドに設けられた空間部に後壁が存在する請求項１記載の安全カミソリ。
【請求項３】
サポート保持部の上部に後壁が設けられ、サポートの使用時に、サポートの把持部が前記後壁に設けられた受け部に当接し、サポートは安全カミソリ本体の長さ方向に対して傾斜した状態で使用される請求項２記載の安全カミソリ。
【請求項４】
サポートの回転軸線が通るその両側部に一対のジャーナル軸が設けられ、サポート保持部に前記ジャーナル軸の軸受が設けられている請求項１乃至請求項３のいずれか一項記載の安全カミソリ。
【請求項５】
サポート保持部に長孔が設けられ、この長孔の下側の端部がジャーナル軸の軸受に形成され、サポートのジャーナル軸を長孔の上側の端部まで移動させることによりサポートが安全カミソリ本体に対してその上方向に移動したときに、サポートの端部の前方への回転を阻止するための回転阻止手段を備えている請求項４記載の安全カミソリ。
【請求項６】
サポートはコードレスの電動具であって電源スイッチを有し、この電源スイッチは把持部の端部側部分を形成し、且つサポートの長さ方向の中心軸線を中心に回転可能となるようにサポートに取り付けられ、電源スイッチを回転することによって電流がオンオフし、サポートの作用部をカミソリヘッドに設けられた空間部に収納し且つサポートを安全カミソリ本体に対してその上方に移動させたときに、電源スイッチの回転を阻止するための手段が電源スイッチとサポート保持部との間に設けられている請求項１乃至請求項５のいずれか一項記載の安全カミソリ。
【発明の詳細な説明】
【技術分野】
【０００１】
本発明は、主に男性が使用する安全カミソリに関し、さらには電動トリマーなどのサポートを有する安全カミソリに関する。
【背景技術】
【０００２】
従来から、鼻毛カッターのサポートを備えた安全カミソリは存在している（例えば、特許文献１参照。）。また、通常サイズの刃を有する安全カミソリに小型サイズの刃を有する幅狭の安全カミソリをサポートとして備えた安全カミソリも存在している（例えば、特許文献２参照。）。
【特許文献１】実開昭５５−１３０６６９号公報
【特許文献２】特表２００８−５０６４８０号公報
【発明の開示】
【発明が解決しようとする課題】
【０００３】
本発明は、サポートを安全カミソリのハンドルの一部として利用することにより、安全カミソリとして使用するときに十分に長いハンドルを得ることを課題とする。
【０００４】
また、サポートを電動トリマーなどの電動具としたときに、サポートと安全カミソリ本体とが協働して使用し易い握り具合を得ることを課題とする。
【０００５】
特許文献１及び特許文献２のサポートは、いずれも安全カミソリの使用時にハンドル内にほぼ完全に格納されるので、サポートを安全カミソリのハンドルの一部として使用していない。したがって、これらの安全カミソリは使用時に十分な長さのハンドルを得ることができない。また、特許文献１及び特許文献２の安全カミソリにおいて十分な長さのハンドルを採用するときは、サポートの使用時における安全カミソリ全体の長さが、十分に長いハンドルとサポート全体の長さの合計となって長すぎるために使用しづらい欠点を有する。本発明は、サポートの使用時に安全カミソリ全体が長すぎることなく、かつ安全カミソリの使用時にはサポートをハンドルの一部として十分な長さのハンドルを得ることができる安全カミソリを提供しようとするものである。
【０００６】
また、安全カミソリで髭を剃るときは安全カミソリを引きながら作業を行う。この場合、安全カミソリを引くので、刃先は皮膚の上を滑るように移動するから、ハンドルを指で軽く握るだけで髭剃りを円滑に行うことができる。これに対して、電動トリマーを使用するときは刃先を前に押し進めるように作業を行う。電動トリマーの刃先を前に押し進めると、その刃先が皮膚を押上げるので刃先の移動に抵抗し、モーターの振動と相俟って円滑に皮膚の上を滑らない。そこで、電動トリマーを使用するときはハンドルを手でしっかり握って、皮膚の抵抗を克服しながら電動トリマーを移動させる必要がある。あるいは、電動トリマーのハンドルをしっかり握って、皮膚の抵抗をなるべく受けないように抵抗を上手に捌いて刃先を押し進める必要がある。このようなことは、電動鼻毛カッターでも同様である。そこで、本発明は、サポートを電動トリマーなどの電動具としたときに、ハンドルをしっかり握ることができ、皮膚の抵抗を受けないように抵抗を上手に捌くことができるハンドルを提供しようとするものである。
【課題を解決するための手段】
【０００７】
本発明の請求項１は、安全カミソリ本体とサポートとから成り、安全カミソリ本体は髭切断構造とカミソリヘッドとサポート保持部とを有し、前記髭切断構造はカミソリヘッドの上部に存在し、前記サポート保持部はカミソリヘッドの下方に存在し、サポートは細長く形成され把持部を有し、その把持部はサポートの途中部分を基部として長さ方向にサポート端部まで延びており、且つサポートはその把持部の基部においてサポートに対して横方向に延びる回転軸線を中心に回転可能となるようにサポート保持部に結合され、サポートの把持部と反対側に作用部が設けられており、安全カミソリ本体による髭剃り時に、作用部はカミソリヘッドに設けられた空間部に置かれ、且つ把持部はサポート保持部よりも下方向に延びサポート保持部と協働して安全カミソリのハンドルを構成し、サポートを使用する際にその作用部が使用可能な位置までサポートを回転させることができる構成である。
【０００８】
請求項２は、安全カミソリの使用時に、その安全カミソリの、顔の表面と対向する側を前側、その前側と反対の側を後ろ側と定義して、カミソリヘッドに設けられた空間部に後壁が存在する要素が請求項１に付加された構成である。
【０００９】
請求項３は、サポート保持部の上部に後壁が設けられ、サポートの使用時に、サポートの把持部が前記後壁に設けられた受け部に当接し、サポートは安全カミソリ本体の長さ方向に対して傾斜した状態で使用される要素が請求項２に付加された構成である。
【００１０】
請求項４は、サポートの回転軸線が通るその両側部に一対のジャーナル軸が設けられ、サポート保持部に前記ジャーナル軸の軸受が設けられている要素が請求項１乃至請求項３のいずれか一項に付加された構成である。
【００１１】
請求項５は、サポート保持部に長孔が設けられ、この長孔の下側の端部がジャーナル軸の軸受に形成され、サポートのジャーナル軸を長孔の上側の端部まで移動させることによりサポートが安全カミソリ本体に対してその上方向に移動したときに、サポートの端部の前方への回転を阻止するための回転阻止手段を備えている要素が請求項４に付加された構成である。
【００１２】
請求項６は、サポートはコードレスの電動であって電源スイッチを有し、この電源スイッチは把持部の端部側部分を形成し、且つサポートの長さ方向の中心軸線を中心に回転可能となるようにサポートに取り付けられ、電源スイッチを回転することによって電流がオンオフし、サポートの作用部をカミソリヘッドに設けられた空間部に収納し且つサポートを安全カミソリ本体に対してその上方に移動させたときに、電源スイッチの回転を阻止するための手段が電源スイッチとサポート保持部との間に設けられている要素が請求項１乃至請求項５のいずれか一項に付加された構成である。
【００１３】
さらに、本願発明のサポートはコードレスの電動トリマーあるいはスリット外刃と回転駆動される内刃を備えた電動鼻毛カッターであることが好ましい。
【発明の効果】
【００１４】
請求項１は、サポート保持部がカミソリヘッドの下方に存在し、サポートは細長く形成され把持部を有し、その把持部はサポートの途中部分を基部として長さ方向にサポート端部まで延びており、且つサポートはその把持部の基部においてサポートに対して横方向に延びる回転軸線を中心に回転可能となるようにサポート保持部に結合され、サポートの把持部と反対側に作用部が設けられており、安全カミソリ本体による髭剃り時に、作用部はカミソリヘッドに設けられた空間部に置かれ、且つ把持部はサポート保持部よりも下方向に延びサポート保持部と協働して安全カミソリのハンドルを構成し、サポートを使用する際にその作用部が使用可能な位置までサポートを回転させることができる。したがって、サポートの把持部を安全カミソリのハンドルの一部として利用することにより、安全カミソリの使用時に十分に長いハンドルを得ることができる。
【００１５】
請求項２は、安全カミソリの使用時に、その安全カミソリの、顔の表面と対向する側を前側、その前側と反対の側を後ろ側と定義して、カミソリヘッドに設けられた空間部に後壁が存在する構成である。したがって、空間部に置かれたサポートの作用部が空間部の後壁によって覆われるから、安全カミソリ本体の使用時に安全カミソリの後面に宛がわれている指が作用部に触れることがない。
【００１６】
請求項３は、サポート保持部の上部に後壁が設けられ、サポートの使用時に、サポートの把持部が前記後壁に設けられた受け部に当接し、サポートは安全カミソリ本体の長さ方向に対して傾斜した状態で使用される構成である。このような構成によって、恰も本発明のサポートがピストルの銃身に該当し、安全カミソリ本体がピストルのハンドルに該当する位置関係になる。ピストルは銃弾が発射されるときに大きな衝撃が生じるからハンドルは銃身から受ける力に対して最もしっかり握っていられる位置関係にあり、且つハンドルは標的を確実に狙うために銃身の方向を上手に捌ける位置関係にある。したがって、安全カミソリ本体をハンドルのようにして握ることにより、サポートを安定した状態でしっかり持って作業することができる。特にサポートが電動トリマーである場合の使用時に安全カミソリ本体をハンドルのようにして握れば、モーターの振動に影響されることなくハンドルをしっかり握ることができ、皮膚の抵抗を克服しながら電動トリマーを容易に移動させることができる。あるいは刃先を押し進めるときに皮膚の抵抗を受けないように抵抗を上手に捌くことができる。このことは、サポートがスリット外刃と回転駆動される内刃とを備えた電動鼻毛カッターでも同様である。
【００１７】
請求項４は、サポートの回転軸線が通るその両側部に一対のジャーナル軸が設けられ、サポート保持部にジャーナル軸の軸受が設けられている。したがって、ジャーナル軸線を回転軸線としてサポートをサポート保持部に対して回転することができる。
【００１８】
請求項５は、サポート保持部に長孔が設けられ、この長孔の下側の端部がジャーナル軸の軸受に形成され、サポートのジャーナル軸を長孔の上側の端部まで移動させることによりサポートが安全カミソリ本体に対してその上方向に移動したときに、サポートの端部の前方への回転を阻止するための回転阻止手段が備えられている。サポートのジャーナル軸を長孔の上側の端部まで移動させてサポートが安全カミソリ本体に対してその上方向に移動した状態は、安全カミソリ本体の使用状態である。したがって、安全カミソリの使用時に不意にサポートが回転して作用部が飛び出すことを防止できる。
【００１９】
請求項６は、サポートの作用部をカミソリヘッドに設けられた空間部に収納し且つサポートを安全カミソリ本体に対してその上方に移動させたときに、電源スイッチの回転を阻止するための手段が電源スイッチとサポート保持部との間に設けられている。したがって、安全カミソリ本体の使用時に不意に電源スイッチがオンとなって作用部が作動することを防止できる。
【発明を実施するための最良の形態】
【００２０】
次に、本発明の実施態様について説明する。安全カミソリ１は、安全カミソリ本体２とサポート３とを有する。サポート３は安全カミソリ本体２に対し回動可能にジャーナル結合されている。安全カミソリ本体２は、カミソリヘッド４と、髭切断構造であるカートリッジ替刃５とサポート保持部６とを有する。カートリッジ替刃５はカミソリヘッド４の上部に着脱自在に取り付けられている。カミソリヘッド４にはカートリッジ替刃５を保持する一対の替刃取り付けアーム１３と、そのアーム１３を動かしてカートリッジ替刃５を着脱するための機構が取り付けられている。その機構は、カートリッジ替刃を着脱するための公知の技術が使用される。カミソリヘッド４の後壁７に取り付けられたボタン８を押すことによってカートリッジ替刃５を着脱することができる。
【００２１】
カミソリヘッド４は、後壁７及び両側壁１０，１０に囲まれた空間部１１を有する。空間部１１の前部には、空間部１１の上部から下方に突出する板状のストッパー１２がカミソリヘッド４と一体に設けられている。このストッパー１２はサポート３の回転を阻止するためのものである。
【００２２】
サポート保持部６は下方に延びる一対のアーム９，９を有している。それぞれのアーム９，９の下部にアーム９の長さ方向に延びる長孔１４が設けられている。長孔１４の下側の端部にジャーナル軸の軸受１５が形成されている。この軸受１５にサポート３のジャーナル軸１６がジャーナル結合する。ジャーナル軸１６は大径の頭部１７を有しており、ジャーナル軸１６が軸受１５から外れることを防止する。また、軸受１５内のジャーナル軸１６が自然に長孔１４の上部に移動することを防止するために、軸受１５の上方開口は幅狭に形成されている。
【００２３】
サポート保持部６の上部には、カミソリヘッド４の後壁７から一体に続く後壁１８が設けられている。図４に示すように、サポート３を使用するときはサポート３を安全カミソリ本体２の長さ方向に対して傾斜した状態で使用するが、そのときに、回転させたサポート３の把持部２０を留め置くための受け部１９が後壁１８に設けられている。受け部１９は凹面状に形成されて、円筒形の把持部２０の形状に合わせてある。ただし、受け部１９は凹面状のものに限定されるものでなく、例えば平面状であってもよい。
【００２４】
安全カミソリ本体１は、カートリッジ替刃５のカバー２１を備えている。カバー２１は、カートリッジ替刃５の不使用時に刃先を覆うと共に、カートリッジ替刃５の前面と両側面を覆う。また、カートリッジ替刃５の使用時は、カートリッジ替刃５の下方にカバー２１を移動させてカートリッジ替刃５の刃先を露出させる。カバー２１を下方に移動させるときに、空間部１１内にあるサポート３が邪魔にならないように、カバー２１の前面に半円形の凹部４６が設けられている。同様に、カミソリヘッド４の両側壁１０，１０及び又はサポート保持部６の両側壁が邪魔にならないように、半円形の凹部４６の両側に凹部４７，４７が設けられている。図１０は、カバー２１がカートリッジ替刃５の刃先を覆っている状態の説明図である。カバー２１は、カバー体２２の一部をなしている。すなわち、カバー体２２は、カバー２１と、カバー支持アーム２３と、連結杆２４とから成る。カバー２１は一対のカバー支持アーム２３に支持され、各カバー支持アーム２３の基部に連結杆２４が設けられている。カバー体２２はプラスチックで一体に形成されている。カミソリヘッド４の両側壁１０，１０及び又はサポート保持部６の両側壁の内面に一対のクランク２５が支点２６を中心に回転可能に取り付けられている。一対のクランク２５は横方向に延びるシャフト（図示せず）によって一体的に連結されている。クランク２５の支点２６と反対側の端部と、連結杆２４の端部が軸２７で結合されている。連結杆２４の他方の端部に突起２８が設けられている。カミソリヘッド４の両側壁１０，１０及び又はサポート保持部６の両側壁の内面にカム溝２９が設けられ、突起２８はこのカム溝２９内を移動する。したがって、図１０の、カバー２１がカートリッジ替刃５の刃先を覆っている状態から、カバー２１を手で摘んで下方に移動させると、突起２８がカム溝２９内を移動して図１１に示すようにカム溝２９の他方の端部に移動する。この操作により、カバー２１はカートリッジ替刃５の下方に位置し、且つカム運動によりカバー２１の全体がカートリッジ替刃５の上面で構成される髭剃り面よりも後退するのでカートリッジ替刃５を使用することができる。
【００２５】
前述したように、カバー２１はカートリッジ替刃５の刃先を覆う作用をなすが、以下の作用もなす。すなわち、図２は安全カミソリの使用状態を示しているが、このとき、サポート３は安全カミソリ本体２に対して最も上方に位置している。安全カミソリの使用が終了してサポート３を使用するときは、図５に示すようにカバー２１でカートリッジ替刃５を覆い、サポート３を下げ、次いでサポート３を回転させる。このときに、カバー２１を移動させることなく、カートリッジ替刃５を覆っていない状態でサポート３を下げサポート３を回転させようとすると、サポート３の上端部がカバー２１に当たってサポート３の回転が阻止される。このように、カートリッジ替刃５の刃先を露出したままではサポート３が使用できないという安全対策が講じられている。また、サポート３の使用中にカバー３が動いてカートリッジ替刃５の下方に移動したときは、サポート３の使用後にサポート３を不使用時の位置に戻そうとしてもカバー２１に当たって戻すことができないから、カバー２１がカートリッジ替刃５の刃先を正しく覆っていないことを把握できる。したがって、カートリッジ替刃５の刃先を露出させたままで安全カミソリを保管することがない。
【００２６】
サポート３は、モーター及び電池を内蔵する電動トリマーである。一方の端部が作用部であり、櫛状の固定刃と櫛状の可動刃を備えている。図９に示すように、サポート３は幅広刃３０と幅狭刃３１の２種類の刃を使うことができる。幅狭刃３１はサポート３の端部に恒久的に取り付けられている。電源スイッチをオンすると可動刃が左右に往復動する。サポート３の端部側面に可動突起３２が突出しており、その可動突起３２は前記可動刃の往復動と連動して横長孔４８内を往復移動するように取り付けられている。
【００２７】
幅広刃３０はアタッチメント３３の端部に取り付けられている。アタッチメント３３はキャップ状をなし、幅狭刃３１の上からサポート３の端部に嵌合凹部４９を利用して着脱可能に取り付けることができる。アタッチメント３３をサポート３の端部に取り付けたときに、幅広刃３０の可動刃が可動突起３２と連結する。したがって、電源スイッチをオンすると、幅狭刃３１の可動刃及び可動突起３２が左右に往復動し、それと同時に幅広刃３０の可動刃も往復動する。これによって、幅広刃３０を使用することができる。なお、幅狭刃をサポート３に恒久的に取り付けず、アタッチメントを２つ用意して、一方を幅広刃のものとし他方を幅狭刃のものとして、いずれもサポートに交換可能に着脱できる構成にしてもよい。
【００２８】
図６（ａ）に示すように、サポート３の一方の側面に３つの凹部３４，３５，３６が設けられている。上側の凹部３４は長さ方向に細長く形成され、凹部３４の上端から下端に行くに従ってその底が徐々に浅くなるように形成されている。下側の凹部３６はサポート３の側面の中心線よりもやや右側に偏倚している。
【００２９】
図７及び図８は、前述した凹部３４，３５，３６と係止する２つの凸部３７，３８を設けた係止部材３９である。係止部材３９はその両側に一対の支軸４０，４０を有している。係止部材３９はその支軸４０，４０を中心に回転できるように一方のアーム９に取り付けられている。したがって、その一方のアーム９とサポート３との間に係止部材３９が介在している。係止部材３９は端部にボタン４１が設けられており、図４に示すようにボタン４１は一方のアーム９に設けた孔の中に位置している。係止部材３９には弾性片４２が一体に設けられており、この弾性片４２は弾性的にアーム９の内面に圧接している。この弾性力によって、ボタン４１がアーム９の表面から突出する方向に付勢される。同時に、係止部材３９の凸部３７，３８がサポート３の凹部３４，３５，３６方向に付勢される。
【００３０】
図１は、サポート３が安全カミソリ本体２に対して最も上方にある状態を示している。カートリッジ替刃５で髭剃りを行うときは、図２に示すようにカバー２１を下方に移動させて行う。安全カミソリ１の持ち方の一つは、手の平でサポート３の把持部２０を電源スイッチ４３を含めて包むように握り、親指と人差し指をサポート保持部６両側面に宛がう。使用者の好みによって、サポート保持部６の長さ方向に対する親指と人差し指の位置を選択することができる。サポート保持部６のみでは安全カミソリのハンドルとして短すぎるが、これとサポート３の把持部２０が協働して十分な長さのハンドルを得ることができる。図１に示すようにアーム９，９は板状に形成され、アーム９，９の周囲は斜面状に面取りがなされている。そして、図２に示すように筒状のサポート３はアーム９，９よりもやや突出しており、その突出しているサポート３の表面と前記アーム９，９の面取りされた周囲の傾斜面とが滑らかな面を形成するので、一つの指がサポート３の表面と前記アーム９，９の面取りされた周囲の傾斜面を同時に握ったときに段差を感じさせることなく握り心地が悪くなることがない。また、安全カミソリの持ち方の他の一つは、前述の持ち方よりも手の位置を安全カミソリの下方に下げ、親指と中指をアーム９の中ほどに宛がい、人差し指先方の腹を図３に示す受け部１９に宛がって使用する。この場合、電源スイッチ４３の端部が手の平に支持される。また、サポート保持部６の両側の表面にそれぞれ横方向に延びる５つの突条が滑り止めとして形成されている。滑り止めのための突条は、図１に示すようにサポート保持部６のほかカバー２１の側面と、サポート３にも形成されている。
【００３１】
図１の状態からサポート３を使用するときは、ボタン４１を押して凹部３５と凸部３７の係止状態を解除し、サポート３を安全カミソリ本体２に対して最も下方に移動させてからサポート３を回転する。サポート３を安全カミソリ本体２に対して最も下方に移動させたときの係止状態を示した図が図６（ｂ）である。サポート３の使用後はサポート３を反転させサポート３とアーム９，９とを同じ方向とし、次いでサポート３を安全カミソリ本体２に対して上方に移動させる。そのときに、凸部３７は、凹部３４の傾斜した底に接しながら凹部３４の下方に移動し、凹部３４の最も高い部分を乗り越えて凹部３５に係止する。凸部３７が凹部３４内を移動しているときは、凸部３７の両側に凹部３４の内面が当たるのでサポート３が回転する虞がない。
【００３２】
サポート３を安全カミソリ本体２に対して完全に上方に移動させると、トリマー刃は空間部１１内に位置し、サポート３の端部はストッパー１２の裏側に位置する。したがって、サポート３の端部はストッパー１２の存在によっても、前方に回転することがない。また、サポート３の端部は安全カミソリ本体２の一定の部分で囲まれるので、その一定の部分はサポート３の作用部のためのカバーの役目を果たす。再度、サポート３を安全カミソリ本体２に対して下方に移動させるときは、係止部材３９のボタン４１を押すと係止部材３９が支軸４０，４０を中心に回転して凸部３７が凹部３５から抜け出し、両者の係止状態が解除されるから、サポート３を円滑に移動できる。
【００３３】
さらに、サポート３が安全カミソリ本体２に対して最も下方にあるときは、前述したようにボタン４１を押すことによりサポート３を安全カミソリ本体２に対して回転でき得る状態でもある。サポート３を使用するときもこの状態からサポート３を回転させる。図４は、サポート３の使用状態を示す。この状態において、サポート３の把持部２０はサポート保持部６の後壁１８に設けられた受け部１９に留め置かれる。それと共に、係止部材３９の凸部３８がサポート３の凹部３６に係止してサポート３の回転を阻止する。図４に示すように、サポート３の使用状態においては、安全カミソリ本体２は水平状態のサポート３に対して、斜め下方に傾斜している。この状態で、安全カミソリ本体２を手の平全体で包むようにして握り、親指と人差し指とでアーム９，９の先端部表面を摘むと、恰もサポート３がピストルの銃身に該当し、安全カミソリ本体２がピストルのハンドルに該当するような関係となる。ピストルのハンドルはピストルをしっかり安定した状態に保持できる構成であり、これと同様に本発明は安全カミソリ本体２をハンドルのようにしてしっかり安定した状態で保持してトリマー作業をすることができる。再度、サポート３を回転して元の位置に戻すときは、係止部材３９のボタン４１を押すと係止部材３９が支軸４０，４０を中心に回転して凸部３８が凹部３６から抜け出し、両者の係止状態が解除されるから、サポート３を円滑に回転できる。
【００３４】
サポート３は電動トリマーであるから、電源スイッチを有している。電源スイッチ４３は把持部２０の端部側部分を形成し、サポート３の長さ方向の中心軸線を中心に回転可能となるようにサポート３に取り付けられている。電源スイッチ４３を回転することによって電流がオンオフする。電池は電源スイッチ４３に内蔵されている。電池は安全かみそり１の各部品に比して重量が大きいので、安全かみそり１の重心の位置について影響が大きい。図２に示すカートリッジ替刃５の使用時、あるいは図４に示すサポート３の使用時のいずれについても、電池を内蔵している電源スイッチ４３は手元に近い位置にある。したがって、安全かみそり１又はサポート３のいずれの使用時においても安定した作業をすることができる。なお、安全カミソリ１の使用中に、安全カミソリ１の一方のアーム９を下側にして洗面台に横向きに置いた場合、すなわちアーム９が洗面台と接するように安全カミソリ１を洗面台に横向きに置いた場合には、サポート３は洗面台との間にアーム９が介在するので洗面台から離間した状態で洗面台に載置される。安全カミソリの使用環境下では洗面台が濡れている場合が多く、サポート３内への水の浸入も心配されるが、サポート３が洗面台と離間しているのでその心配がなくなる。
【００３５】
図３及び図６に示すように、電源スイッチ４３の側面に係止凸部４４が設けられている。係止凸部４４は電源スイッチ４３の両側にそれぞれ１つ設けられている。サポート３が安全カミソリ本体２の下方にあるときは、係止凸部４４はアーム９，９の下方にあって露出している。アーム９の内面の下端に係止溝４５が設けられていて、サポート３を上方に移動すると係止凸部４４が係止溝４５に係止し、カートリッジ替刃５で髭を剃っているときに不意に電源スイッチ４３が回転して電源がオンになることを防止できる。
【００３６】
次に、本実施態様のサイズについて説明する。図２における安全カミソリ１の全長は約１５０ｍｍである。安全カミソリ本体２からカートリッジ替刃５と替刃取り付けアーム１３を除いた安全カミソリ本体２の全長は約９６ｍｍである。アーム９に設けた長孔１４内でジャーナル軸１６が長孔１４の長さ方向に移動できる距離は約１０ｍｍである。図６（ａ）におけるサポート３の全長は約１２２ｍｍである。ジャーナル軸１６の中心からサポート３の下端までの長さは約６０ｍｍである。図９における電動トリマーの幅広刃の全長は約１３ｍｍである。幅狭刃の全長は約５ｍｍである。サイズは以上の通りであるが、本発明がこれらの数値に限定されないことは勿論である。
【００３７】
なお、本発明は前述した構成に基づいて種々の態様をとることが可能である。例えば、サポート３はスリット外刃と回転駆動される内刃を備えた電動鼻毛カッターでもよい。内刃を回転駆動する構成は公知の技術手段が採用される。また、電動具でなく髭剃りブラシなどの手道具であってもよい。また、アーム９は一対のものでなく片方のみのものであってもよい。この場合、サポート３をアームに確実に保持させるために、アームは強固に形成され、サポートのジャーナル軸は太く形成されていることが好ましい。及び又は、長孔１４は設けずにサポート３は回転のみ可能で、長さ方向に移動できない構成が好ましい。また、カートリッジ替刃５は、刃を囲う枠部材の前後及び又は左右にシェービングエイドを設けてもよい。シェービングエイドには、トルマリン、シアバター、ココナッツ油、炭成分が重量比０．００１〜５％の適量添加されることが好ましい。前記枠部材は、例えばＡＢＳ樹脂やポリプロピレン樹脂等のプラスチックで成形され、さらにその材料にフッ素樹脂、シリコーン樹脂又はシリコーン油が重量比０．００１〜５％の適量添加されることが好ましい。
【図面の簡単な説明】
【００３８】
【図１】本発明の安全カミソリ及びサポートの不使用時の斜視図
【図２】本発明の安全カミソリ使用時の側面図
【図３】本発明の安全カミソリ使用時の後面図
【図４】本発明のサポート使用時の側面図
【図５】本発明の安全カミソリ及びサポートの不使用時の側面図
【図６】（ａ）はサポートの側面図、（ｂ）はサポートと係止部材の係止状態を示す一部拡大断面図
【図７】係止部材をそれが取り付けられているアームの前側から見た図
【図８】係止部材をそれが取り付けられているアームの内面側から見た図
【図９】電動トリマーの幅広刃と幅狭刃の関係説明図
【図１０】刃先をカバーで覆った状態を示す機構図
【図１１】カバーを下方に移動させた状態を示す機構図
【符号の説明】
【００３９】
１  安全カミソリ      ２  安全カミソリ本体      ３  サポート
４  カミソリヘッド      ５  カートリッジ替刃      ６  サポート保持部
７  後壁      ８  ボタン      ９  アーム      １０  側壁
１１  空間部      １２  ストッパー      １３  替刃取り付けアーム
１４  長孔      １５  軸受      １６  ジャーナル軸
１７  頭部      １８  後壁      １９  受け部
２０  把持部      ２１  カバー      ２２  カバー体
２３  カバー支持アーム      ２４  連結杆      ２５  クランク
２６  支点      ２７  軸      ２８  突起
２９  カム溝      ３０  幅広刃      ３１  幅狭刃
３２  可動突起      ３３  アタッチメント      ３４  凹部
３５  凹部      ３６  凹部      ３７  凸部
３８  凸部      ３９  係止部材      ４０  支軸
４１  ボタン      ４２  弾性片      ４３  電源スイッチ
４４  係止凸部      ４５  係止溝      ４６  半円形の凹部
４７  凹部      ４８  横長孔        ４９  嵌合凹部
【図１】
2010131229.tif 000003
【図２】
2010131229.tif 000004
【図３】
2010131229.tif 000005
【図４】
2010131229.tif 000006
【図５】
2010131229.tif 000007
【図６】
2010131229.tif 000008
【図７】
2010131229.tif 000009
【図８】
2010131229.tif 000010
【図９】
2010131229.tif 000011
【図１０】
2010131229.tif 000012
【図１１】
2010131229.tif 000013